(57)【要約】【課題】素肌に直接着用し体表面を冷却するための冷却服であって、体表面を長時間に及び冷却が可能で、冷却部位を自由に変更することが可能な冷却服を提供する。【解決手段】メッシュ構造を有する生地と、冷媒を通すための冷却管とを具備し、冷却管が、生地のメッシュ開口部を通して、生地の表裏に交互に織り込まれて固定された冷却服。【選択図】図３
2008007877.tif 000002
【特許請求の範囲】
【請求項１】
メッシュ構造を有する生地と、
冷媒を通すための冷却管とを具備し、
前記冷却管が、前記生地のメッシュ開口部を通して、前記生地の表裏に交互に織り込まれて固定された
冷却服。
【請求項２】
前記冷却服が、上体部のみで構成された、
請求項１に記載の冷却服。
【請求項３】
前記冷却服が、下体部のみで構成された、
請求項１に記載の冷却服。
【請求項４】
前記冷却服は、上体部と下体部が一体となって構成された、
請求項１に記載の冷却服。
【請求項５】
請求項２又は４に記載の冷却服において、
更に、前記冷却服が頭部を有し、前記上体部と一体である
冷却服。
【請求項６】
請求項５に記載の冷却服において、
更に、首部分のしまり具合を調整する脱着自在具を
具備する
冷却服。
【請求項７】
メッシュ構造を有する生地と、
冷媒を通すための冷却管とを具備し、
前記生地の片面に前記冷却管を配置し、前記生地のメッシュ開口部に通して前記冷却管を前記生地に固定する結束バンドと
を具備する
冷却服。
【請求項８】
メッシュ構造を有する生地と、
冷媒を通すための冷却管とを具備し、
前記冷却管が、前記生地のメッシュ開口部を通して、前記生地の表裏に交互に織り込まれ、
前記メッシュ開口部に通して前記冷却管を前記生地に固定する結束バンドと
を具備する
冷却服。
【請求項９】
前記冷却服が、上体部のみで構成された、
請求項７又は８に記載の冷却服。
【請求項１０】
前記冷却服が、下体部のみで構成された、
請求項７又は８に記載の冷却服。
【請求項１１】
前記冷却服は、上体部と下体部が一体となって構成された、
請求項７又は８に記載の冷却服。
【請求項１２】
請求項９又は１１に記載の冷却服において、
更に、前記冷却服が頭部を有し、前記上体部と一体である
冷却服。
【請求項１３】
請求項１２に記載の冷却服において、
更に、首部分のしまり具合を調整する脱着自在具を
具備する
冷却服。
【請求項１４】
メッシュ構造を有する生地と、
冷媒を通すための冷却管とを具備し、
前記生地の片面に前記冷却管を配置し、前記冷却管を覆うように被せた固定カバーと、
前記固定カバーを前記メッシュ本体部に固定するための固定カバー止め具と
を具備する
冷却服。
【請求項１５】
メッシュ構造を有する生地と、
冷媒を通すための冷却管とを具備し、
前記冷却管が、前記生地のメッシュ開口部を通して、前記生地の表裏に交互に織り込まれ、
前記冷却管を覆うように被せた固定カバーと、
前記固定カバーを前記メッシュ本体部に固定するための固定カバー止め具と
を具備する
冷却服。
【請求項１６】
前記冷却服が、上体部のみで構成された、
請求項１４又は１５に記載の冷却服。
【請求項１７】
前記冷却服が、下体部のみで構成された、
請求項１４又は１５に記載の冷却服。
【請求項１８】
前記冷却服は、上体部と下体部が一体となって構成された、
請求項１４又は１５に記載の冷却服。
【請求項１９】
請求項１６又は１８に記載の冷却服において、
更に、前記冷却服が頭部を有し、前記上体部と一体である
冷却服。
【請求項２０】
請求項１９に記載の冷却服において、
更に、首部分のしまり具合を調整する脱着自在具を
具備する
冷却服。
【発明の詳細な説明】
【技術分野】
【０００１】
本発明は、体を冷却するための冷却服に関する。
【背景技術】
【０００２】
ごみ焼却炉内の補修や清掃作業は、人間の手作業によって行われている。しかし、ごみ焼却炉内には、人間にとって有害なダイオキシン等の物質や粉塵等が残存する。したがって、作業者の健康障害を防止するために、作業者は防塵服やマスク等を装着しごみ焼却炉内で作業を実施する。当然ながら、防塵服は、頭部を含めた全身を覆うものである。また、防塵服は、防塵服内への粉塵等の侵入を抑制した生地で作られており、通気性がよいものとは言えない。また、ごみ焼却炉内は、稼働時の熱が残存している場合や夏季の場合は、高温雰囲気の状態となる。したがって、作業者は、非常に暑さを感じながら作業に従事しなければならない。
【０００３】
作業者は、暑さを緩和するために肌着に保冷剤を装着して、体表面を冷やすことを行う場合がある。ただし、保冷剤が重たいことや、保冷剤が一定時間しか冷却効果を発揮しない等の理由から、作業時間が限られる。
【０００４】
特許文献１に、着衣者から熱を奪って外部に放熱する冷却機能を有する冷却服において、潜熱として熱を輸送する作動流体を封入したループ型ヒートパイプが衣服部の布面に沿って取り付けられるとともに、作動流体を強制循環させるポンプがループ型ヒートパイプに介在させられ、さらに、作動流体が封入された複数のヒートパイプが、それぞれの一部を前記ループ型ヒートパイプに熱交換可能に取付けられ、このループ型ヒートパイプから衣服部の各部へ延びて、それぞれ布地部分に織込みあるいは縫刺しされていることを特徴とする冷却服が開示されている（特許文献１参照）。
【０００５】
特許文献２に、身体を冷やすために冷却ガスを吹き出す冷却パイプ体と該冷却パイプ体に冷却ガスを供給する冷却ガス供給部とを備えたクーリングベストが開示されている（特許文献２参照）。
【０００６】
【特許文献１】特開平６−１２７４８７号公報
【特許文献２】特開２００２−２４２００７号公報
【発明の開示】
【発明が解決しようとする課題】
【０００７】
本発明の目的は、素肌に直接着用し体表面を冷却するための冷却服を提供することである。
【０００８】
また、本発明の目的は、体表面を長時間に及び冷却が可能で、冷却部位を自由に変更することが可能な冷却服を提供することである。
【課題を解決するための手段】
【０００９】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１０】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定されている。
【００１１】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定され、上体部（２ｃ）のみで構成されている。
【００１２】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定され、下体部（３）のみで構成されている。
【００１３】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定され、上体部（２ｃ）と下体部（３）が一体となって構成されている。
【００１４】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定され、上体部（２ｃ）に加え、頭部（２ａ）を有し、上体部（２ｃ）と頭部（２ａ）は一体である。
【００１５】
本発明による冷却服（２）は、メッシュ構造を有する生地と、冷媒を通すための冷却管（１８）とを具備し、冷却管（１８）が、生地のメッシュ開口部（２０）を通して、生地の表裏に交互に織り込まれて固定され、上体部（２ｃ）に加え、頭部（２ａ）を有し、上体部（２ｃ）と頭部（２ａ）は一体であって、首部分のしまり具合を調整する脱着自在具（２ｄ）を備えている。
【００１６】
本発明による冷却服（２）は、メッシュ構造を有する生地と、冷媒を通すための冷却管（１８）とを具備し、生地の片面に冷却管（１８）を配置し、生地のメッシュ開口部に通して冷却管（１８）を生地に固定する結束バンド（２４）とを備えている。
【００１７】
本発明による冷却服（２）は、メッシュ構造を有する生地と、冷媒を通すための冷却管（１８）とを具備し、冷却管（１８）が、生地のメッシュ開口部を通して、生地の表裏に交互に織り込まれ、メッシュ開口部に通して冷却管（１８）を生地に固定する結束バンド（２４）とを備えている。
【００１８】
本発明による冷却服（２）は、メッシュ構造を有する生地と、冷媒を通すための冷却管（１８）とを具備し、生地の片面に冷却管（１８）を配置し、生地のメッシュ開口部を通して冷却管（１８）を生地に固定する結束バンド（２４）とを備えて、上体部（２ｃ）のみで構成されている。
【００１９】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、生地のメッシュ開口部を通して冷却管（１８）を生地に固定する結束バンド（２４）とを備えて、下体部（３）のみで構成されている。
【００２０】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、生地のメッシュ開口部を通して冷却管（１８）を生地に固定する結束バンド（２４）とを備えて、上体部（２ｃ）と下体部（３）が一体となって構成されている。
【００２１】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、生地のメッシュ開口部を通して冷却管（１８）を生地に固定する結束バンド（２４）とを備えて、上体部（２ｃ）に加え、頭部（２ａ）を有し、上体部（２ｃ）と頭部（２ａ）は一体である。
【００２２】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、生地のメッシュ開口部を通して冷却管（１８）を生地に固定する結束バンド（２４）とを備えて、上体部（２ｃ）に加え、頭部（２ａ）を有し、上体部（２ｃ）と頭部（２ａ）は一体であって、首部分のしまり具合を調整する脱着自在具（２ｄ）を備えている。
【００２３】
本発明による冷却服（２）は、メッシュ構造を有する生地と、冷媒を通すための冷却管（１８）とを具備し、生地の片面に冷却管（１８）を配置し、冷却管（１８）を覆うように被せた固定カバー（２６）と、固定カバー（２６）を前記メッシュ本体部（２２）に固定するための固定カバー止め具（２８）とを備えている。
【００２４】
本発明による冷却服（２）は、メッシュ構造を有する生地と、冷媒を通すための冷却管（１８）とを具備し、冷却管（１８）が、生地のメッシュ開口部を通して、生地の表裏に交互に織り込まれ、冷却管（１８）を覆うように被せた固定カバー（２６）と、固定カバー（２６）を前記メッシュ本体部（２２）に固定するための固定カバー止め具（２８）とを備えている。
【００２５】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、冷却管（１８）を覆うように被せた固定カバー（２６）と、固定カバー（２６）を前記メッシュ本体部（２２）に固定するための固定カバー止め具（２８）とを備えて、上体部（２ｃ）のみで構成されている。
【００２６】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、冷却管（１８）を覆うように被せた固定カバー（２６）と、固定カバー（２６）を前記メッシュ本体部（２２）に固定するための固定カバー止め具（２８）とを備えて、下体部（３）のみで構成されている。
【００２７】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、冷却管（１８）を覆うように被せた固定カバー（２６）と、固定カバー（２６）を前記メッシュ本体部（２２）に固定するための固定カバー止め具（２８）とを備えて、上体部（２ｃ）と下体部（３）が一体となって構成されている。
【００２８】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、冷却管（１８）を覆うように被せた固定カバー（２６）と、固定カバー（２６）を前記メッシュ本体部（２２）に固定するための固定カバー止め具（２８）とを備えて、上体部（２ｃ）に加え、頭部（２ａ）を有し、上体部（２ｃ）と頭部（２ａ）は一体である。
【００２９】
本発明による冷却服（２）は、メッシュ構造を有する生地と、冷媒を通すための冷却管（１８）とを具備し、生地の片面あるいは生地のメッシュ開口部に織り込んで冷却管（１８）を配置し、冷却管（１８）を覆うように被せた固定カバー（２６）と、固定カバー（２６）を前記メッシュ本体部（２２）に固定するための固定カバー止め具（２８）とを備えて、上体部（２ｃ）に加え、頭部（２ａ）を有し、上体部（２ｃ）と頭部（２ａ）は一体であって、首部分のしまり具合を調整する脱着自在具（２ｄ）を備えている。
【発明の効果】
【００３０】
本発明によれば、素肌に直接着用し体表面を冷却するための冷却服が提供される。
【００３１】
本発明によれば、体表面を長時間に及び冷却が可能で、冷却部位を自由に変更することが可能な冷却服が提供される。
【発明を実施するための最良の形態】
【００３２】
添付図面を参照して、本発明による冷却服を実施するための最良の形態を以下に説明する。
【００３３】
（第１の実施形態）
図１は、本実施形態の構成を示す。冷却服２は、冷却服頭部２ａ及び冷却服上体部２ｃで構成されている。冷却服頭部２ａは、冷却服顔面開口部２ｂを有する。つまり、冷却服２を着用する者は、頭部から首および上体部にかけて、冷却服２を着用することになり、顔面部分だけを露出する。なお、冷却服２は、ごみ焼却炉の内部の補修や清掃作業を行う作業者が、素肌に着用することを想定する。作業者は、冷却服２を着用し、その上に防塵服を着用する。
【００３４】
冷却服２の材質は、汗を吸収する特性を有し、肌着として適した材質であればよい。したがって、綿やポリエステル等が例示される。
【００３５】
さらに、冷却服２は、着脱自在具２ｄを有しており、首部分のしまり具合を調整することができる。着脱自在具２は、何回もつけ外しが可能なテープや、ひも、ベルト等が例示される。
【００３６】
冷却服２の全体には、冷却管１８がはりめぐらされ、冷却管１８に冷媒を通す。冷媒入りカートリッジ６に流量調整弁４を接続し、流量調整弁４には注入管１０を接続する。さらに、注入管１０は冷却管１８に接続される。冷媒入りカートリッジ６は、冷媒入りカートリッジカバー８に入れられる。冷却管１８は、排出管１２に接続され、排出管１２の先端から循環した冷媒が大気に放出される。冷却管１８や注入管１０、排出管１２の配置の詳細については後述する。
【００３７】
注入管１０及び排出管１２、冷却管１８は、材質がシリコンゴムである。注入管１０及び排出管１２、冷却管１８は、フレキシブル性を有し、冷媒を通しても硬化や脆化することがない材質であれば、シリコンゴムに限らず他の樹脂材料でもよい。
【００３８】
流量調整弁４は、冷媒の流量を調整するための弁であって、弁の動作は手動でも電動も良い。流量調整弁４は、作業者が、体感する冷却度合いに応じて操作する弁である。したがって、作業者が、作業中に流量調整弁４を操作することができるように、流量調整弁４は、防塵服の外に出しておく。なお、図１では、冷媒入りカートリッジ６と流量調整弁４は、分離しているように図示しているが、流量調整弁４と冷媒入りカートリッジ６が一体となったものでもよい。
【００３９】
冷媒入りカートリッジ６は、内容物である冷媒が消費されれば交換する。つまり、冷媒入りカートリッジ６は、使い捨てタイプである。したがって、長時間に及ぶ作業を行う場合は、冷媒入りカートリッジ６を交換しながら作業を行えば良い。なお、冷媒は、例えばフロン１３４ａが用いられる。フロン１３４ａは、不燃性であるため、ごみ焼却炉内等の環境では安全である。このような冷媒は、液体から気体に気化する際に、周囲の熱を吸収する。したがって、このような冷媒を冷却管１８に通せば、冷媒が冷却管１８を通る際に、冷却管１８に触れた素肌は冷却され、冷却管１８の周囲の空気も冷却される。
【００４０】
冷媒入りカートリッジカバー８は、冷媒入りカートリッジ６を作業者の腰ベルトにぶら下げるために図示しないフックを備えている。冷媒入りカートリッジカバー８は、主に断熱材で構成されている。冷媒入りカートリッジカバー８は、冷媒入りカートリッジ６に充填されている液体の冷媒が周囲の熱を吸収して、冷媒入りカートリッジ６の内圧が上昇するのを防ぐ役目を果たす。したがって、ごみ焼却炉内のような高温雰囲気においては、冷媒入りカートリッジカバー８は必要であるが、常温雰囲気においては不要である。
【００４１】
図２Ａは、冷却服２に用いる冷却管１８などのレイアウトの前面側を示す。注入管１０ａが、分岐部１４に接続されている。注入管１０ａは、図１中に示した注入管１０に接続されている。分岐部１４は、冷却管１８を冷却服２の左右の経路へと分岐するものである。また、集合部１６には、冷却管１８をまとめて集合し、循環した冷媒をまとめて排出するための排出管１２ａが接続されている。排出管１２ａは、図１中に示した排出管１２に接続されている。冷却管１８は、人間の胸部分、脇の下部分、首部分、頭部側面部分を冷却するように配置されている。
【００４２】
図２Ｂは、冷却服２に用いる冷却管１８などのレイアウトの背面側を示す。冷却管１８は、人間の背中部分、脇の下部分、首部分、頭部後頭部分を冷却するように配置されている。
【００４３】
冷却服２の前面側で左右の経路に分岐した冷却管１８は、頭部や背面に一筆書きのように配置され、つながっている。具体的な冷却管１８のつながりを図２Ａ及び図２Ｂを参照して説明する。まず、作業者が、冷却服２を着用した時、作業者からみて右側に向かって、分岐部１４から分岐された冷却管１８のつながりから説明する。冷却管１８は、ＡからＡ’につながる。さらに、冷却管１８は、脇の下部分を通って、Ｂ’からＢへとつながる。次に、冷却管１８は首部分を通って、ＣからＣ’へとつながりＤ’からＤへとつながる。次に、冷却管１８は、頭部側面部分を通って、ＥからＥ’へとつながり、背中部分を通る。次に、冷却管１８は、脇の下部分を通って、Ｆ’からＦへとつながる。そして、胸部分を通って、集合部１６に戻る。
【００４４】
次に、作業者が、冷却服２を着用した時、分岐部１４から左側に向かって分岐された冷却管１８のつながりについて説明する。冷却管１８は、ａからａ’につながる。さらに、冷却管１８は、脇の下部分を通って、ｂ’からｂへとつながる。次に、冷却管１８は首部分を通って、ｃからｃ’へとつながりｄ’からｄへとつながる。次に、冷却管１８は、頭部側面部分を通って、ｅからｅ’へとつながり、背中部分を通る。次に、冷却管１８は、脇の下部分を通って、ｆ’からｆへとつながる。そして、胸部分を通って、集合部１６に戻ってくる。
【００４５】
左右の経路から戻ってきた冷却管１８は、集合部１６で排出管１２ａとして一つにまとめられる。なお、作業者は、冷却服２の上に防塵服を着用している。上着とズボンが一体となった防塵服である場合、排出管１２ａは、ズボンの裾から外に出すようにする。
【００４６】
なお、冷却管１８をズボン形状の服に配置したズボン状冷却服３を用意すれば、下半身を冷却することもできる。図６Ａにズボン状冷却服３に用いる冷却管１８のレイアウトの前面側、図６Ｂにズボン状冷却服３に用いる冷却管１８のレイアウトの背面側を示す。
【００４７】
ズボン状冷却服３は、冷却服２のように単独でも使用できるが、冷却服２と同時に使用、あるいは一体化した物とすることもできる。そのような場合、排出管１２ａをズボン状冷却服３の冷却管１８のＧに接続する。冷却管１８は、ＧからＨにつながり、太腿部から膝下に通る。さらに、冷却管１８は、ＨからＨ’へとつながり、Ｉ’につながる。次に冷却管１８は、Ｉ’からＩへとつながりＪにつながり、腰部を通る。そして、冷却管１８は、ＪからＪ’につながりＫ’からＫにつながり、太腿部から膝下、腰部を経由しＬに到達する。Ｌは、ズボン状冷却服３の裾から外に出すようにする。
【００４８】
次に、冷却管１８を冷却服２あるいはズボン状冷却服３に固定する形態について説明する。図３は、第１の実施形態にかかる冷却管１８の冷却服２あるいはズボン状冷却服３への固定方法を説明する図である。冷却服２あるいはズボン状冷却服３の生地は、メッシュ構造となっており、メッシュ開口部２０とメッシュ本体部２２で構成されている。メッシュ開口部２０の形状は、正方形でも矩形でも円形でもよい。冷却管１８の断面の外形形状も、正方形でも矩形でも円形でもよい。ただし、メッシュ開口部２０は、冷却管１８を通すことができる大きさであることが必要である。さらに、冷却管１８の冷却管断面１８ａの内側形状も正方形、矩形、円形のいずれであっても構わない。
【００４９】
冷却管１８は、図２Ａや図２Ｂで示したように、直線や曲線を描いて冷却服２の全体に配置される。従って、冷却管１８をメッシュ開口部２０に通して、冷却管１８を曲線に配置する際は、図３に示す冷却管曲部１８’のように配置する。
【００５０】
図３中のＡ−Ａ’断面に示すように冷却服２あるいはズボン状冷却服３の生地の表裏に交互に冷却管１８を織り込むことによって、冷却管１８を固定する。このように、冷却服２あるいはズボン状冷却服３に冷却管１８を固定することによって、そのまま冷却服２あるいはズボン状冷却服３を洗濯しても冷却管１８が外れることがない。また、冷却管１８が、シリコンゴム等であることと、冷却服２あるいはズボン状冷却服３のメッシュ構造の生地を利用して冷却管１８を固定することから、冷却服２あるいはあるいはズボン状冷却服３に任意のレイアウトで冷却管１８を配置することができる。作業者の体型や好みに応じて冷却管１８の配置を変更することが容易に行うことができる。さらに、冷却管１８が老朽化したり、破れるような損傷を受けた場合でも、冷却管１８は、冷却服２あるいはズボン状冷却服３のメッシュ構造の生地のメッシュ開口部２０に通して固定しているだけなので、容易に冷却管１８を抜き去り、交換することができる。
【００５１】
（第２の実施形態）
図４は、本実施形態にかかる冷却管１８の冷却服２あるいはズボン状冷却服３への固定方法を説明する図である。本実施形態は、第１の実施形態と異なる方法によって、冷却管１８を冷却服２あるいはズボン状冷却服３に固定するものである。冷却服２あるいはズボン状冷却服３及び冷却管１８は、第１の実施形態と異なる物ではない。結束バンド２４を冷却服２あるいはズボン状冷却服３のメッシュ開口部２０に通して、冷却管１８を冷却服２の生地に縛るようにして固定する。結束バンド２４は、樹脂や繊維であればよく、素肌に傷をつけないような処理がなされている金属であってもよい。このように、冷却服２あるいはズボン状冷却服３に冷却管１８を固定することによって、そのまま冷却服２あるいはズボン状冷却服３を洗濯しても冷却管１８が外れることがない。また、冷却管１８は、シリコンゴム等であることと、冷却服２あるいはズボン状冷却服３のメッシュ構造の生地を利用して冷却管１８を固定することから、冷却服２あるいはズボン状冷却服３に任意のレイアウトで冷却管１８を配置することができる。作業者の体型や好みに応じて冷却管１８の配置を変更することが容易に行うことができる。さらに、冷却管１８が老朽化したり、破れるような損傷を受けた場合でも、結束バンド２４を冷却服２あるいはズボン状冷却服３のメッシュ構造の生地に通して冷却管１８を固定しているだけなので、結束バンド２４を切断する等して容易に冷却管１８を交換することができる。また、結束バンド２４はそのままにしておいて、冷却管１８を抜き去ることによっても、冷却管１８を交換することができる。
【００５２】
なお、本実施形態では、冷却服２あるいはズボン状冷却服３の生地の片面に冷却管１８が配置されることになる。したがって、冷却管１８が配置されたほうの面が素肌に接するように冷却服２あるいはズボン状冷却服３を着用しても良いが、冷却服２あるいはズボン状冷却服３の生地を通して素肌を冷却することも可能であるので、冷却管１８が配置された面の反対側が素肌に接するように冷却服２あるいはズボン状冷却服３を着用しても良い。また、冷却管１８は、冷却服２あるいはズボン状冷却服３のメッシュ構造の生地の表裏に交互に冷却管１８を織り込むことによって、冷却管１８を固定してもよい。
【００５３】
（第３の実施形態）
図５は、本実施形態にかかる冷却管１８の冷却服２あるいはズボン状冷却服３への固定方法を説明する図である。本実施形態は、第１の実施形態あるいは第２の実施形態と異なる方法によって、冷却管１８を冷却服２あるいはズボン状冷却服３に固定するものである。冷却服２あるいはズボン状冷却服３及び冷却管１８は、第１の実施形態あるいは第２の実施形態と異なる物ではない。固定カバー２６を冷却管１８に被せて、固定カバー２６を冷却服２あるいはズボン状冷却服３のメッシュ本体部２２に縫い合わせて、冷却管１８を冷却服２あるいはズボン状冷却服３に固定する。固定カバー２６は、樹脂や繊維であればよい。固定カバー２６は、固定カバー止め具２８を用いてメッシュ本体部２２に数箇所固定される。固定カバー止め具２８は、繊維であって、固定カバー２６とメッシュ本体部２２を縫い合わせるものでよい。また、固定カバー止め具２８は、樹脂製のリベット形状のものであってもよい。さらには、図示しない接着剤を用いて固定カバー２６をメッシュ本体部２２に接着してもよい。このように、冷却服２あるいはズボン状冷却服３に冷却管１８を固定することによって、そのまま冷却服２あるいはズボン状冷却服３を洗濯しても冷却管１８が外れることがない。また、冷却管１８が、シリコンゴム等であることから、冷却服２あるいはズボン状冷却服３に任意のレイアウトで冷却管１８配置することができる。作業者の体型や好みに応じて冷却管１８の配置を変更することが容易に行うことができる。さらに、冷却管１８が老朽化したり、破れるような損傷を受けた場合でも、固定カバー２６を冷却服２あるいはズボン状冷却服３のメッシュ構造の生地のメッシュ本体部２２に縫い合わせているだけなので、固定カバー２６を切断する等して容易に冷却管１８を交換することができる。また、固定カバー２６及び固定カバー止め具２８はそのままにしておいて、冷却管１８を抜き去ることによっても、冷却管１８を交換することができる。
【００５４】
なお、本実施形態では、冷却服２あるいはズボン状冷却服３の生地の片面に冷却管１８が配置されることになる。したがって、冷却管１８が配置されたほうの面が素肌に接するように冷却服２あるいはズボン状冷却服３を着用しても良いが、冷却服２あるいはズボン状冷却服３の生地を通して素肌を冷却することも可能であるので、冷却管１８が配置された面の反対側が素肌に接するように冷却服２あるいはズボン状冷却服３を着用しても良い。また、冷却管１８は、冷却服２あるいはズボン状冷却服３のメッシュ構造の生地の表裏に交互に冷却管１８を織り込むことによって、冷却管１８を固定してもよい。
【図面の簡単な説明】
【００５５】
【図１】図１は、第１の実施形態の構成を示す。
【図２Ａ】図２Ａは、冷却服に用いる冷却管等のレイアウトの前面側を示す。
【図２Ｂ】図２Ｂは、冷却服に用いる冷却管等のレイアウトの背面側を示す。
【図３】図３は、第１の実施形態にかかる冷却管の冷却服への固定方法を説明する図である。
【図４】図４は、第２の実施形態にかかる冷却管の冷却服への固定方法を説明する図である。
【図５】図５は、第３の実施形態にかかる冷却管の冷却服への固定方法を説明する図である。
【図６Ａ】図６Ａは、ズボン状冷却服に用いる冷却管のレイアウトの前面側を示す。
【図６Ｂ】図６Ｂは、ズボン状冷却服に用いる冷却管のレイアウトの背面側を示す。
【符号の説明】
【００５６】
２    ：冷却服
２ａ  ：冷却服頭部
２ｂ  ：冷却服顔面開口部
２ｃ  ：冷却服上体部
２ｄ  ：着脱自在具
３    ：ズボン状冷却服
４    ：流量調整弁
６    ：冷媒入りカートリッジ
８    ：冷媒入りカートリッジカバー
１０  ：注入管
１０ａ：注入管
１２  ：排出管
１２ａ：排出管
１４  ：分岐部
１６  ：集合部
１８  ：冷却管
１８’：冷却管曲部
１８ａ：冷却管断面
２０  ：メッシュ開口部
２２  ：メッシュ本体部
２４  ：結束バンド
２６  ：固定カバー
２８  ：固定カバー止め具
【図１】
2008007877.tif 000003
【図２Ａ】
2008007877.tif 000004
【図２Ｂ】
2008007877.tif 000005
【図３】
2008007877.tif 000006
【図４】
2008007877.tif 000007
【図５】
2008007877.tif 000008
【図６Ａ】
2008007877.tif 000009
【図６Ｂ】
2008007877.tif 000010